(57)【要約】  優れた偽造防止効果及び情報伝達性を持つ集合画像が設置された再帰反射シートを提供する。  本発明は、所定方向に視認方向性を持った点画像（Ｐ１、Ｐ２）が多数集合した集合画像（Ｌ１、Ｌ２）を少なくとも２種類以上隣接して設置された再帰反射シート（１００）である。集合画像を構成するそれぞれの点画像の視認可能領域は、各点画像を頂点とした円錐状の広がりを持ち、当該集合画像におけるそれぞれの点画像の円錐状の視認可能領域の中心軸の傾き（β）が５〜６０度であり、互いに隣接する集合画像におけるそれぞれの点画像の視認可能領域の中心軸の傾きの差（Δβ）が５〜２５度であり、それぞれの集合画像を構成する点画像の中心軸（Ｖｏ１、Ｖｏ２）の傾きの方位は、その中心軸を再帰反射シートの中心を通るように平行移動したときに、再帰反射シートの表面に垂直かつ再帰反射シートの中心を通る中心線を含む面に対していずれも同じ側にある。
2012099044.tif 000002
【特許請求の範囲】
【請求項１】
定められた方向において視認可能な視認方向性を持った点画像が多数集合して形成される集合画像が、少なくとも２種類以上隣接して設置された微小ガラス球型再帰反射シートにおいて、
該集合画像を構成するそれぞれの点画像の視認可能領域は、それぞれの点画像を頂点とした円錐状の広がりを持ち、
該集合画像におけるそれぞれの点画像の該視認可能領域の中心軸の傾き（β）は、５〜６０度であり、
互いに隣接する集合画像におけるそれぞれの点画像の該視認可能領域の中心軸の傾きの差（Δβ）が５〜２５度であり、
それぞれの該集合画像を構成する該点画像の中心軸の傾きの方位は、該中心軸を該再帰反射シートの中心を通るように平行移動したときに、該再帰反射シートの表面に垂直、かつ該再帰反射シートの中心を通る中心線を含む面に対していずれも同じ側にある
ことを特徴とする視認方向性を持った集合画像が設置された微小ガラス球型再帰反射シート。
【請求項２】
隣接する集合画像におけるそれぞれの点画像の該視認可能領域の中心軸の傾きの差（Δβ）が８〜２２度である
ことを特徴とする請求項１に記載の視認方向性を持った集合画像が設置された微小ガラス球型再帰反射シート。
【請求項３】
該視認可能領域の中心軸の傾き（β）の大きさが１０〜６０度である
ことを特徴とする請求項１または請求項２に記載の視認方向性を持った集合画像が設置された微小ガラス球型再帰反射シート。
【請求項４】
少なくとも１つの該集合画像におけるそれぞれの点画像の方位角と、この集合画像に隣接する集合画像におけるそれぞれの点画像の方位角との差（Δε）が、０〜１０度である
ことを特徴とする請求項１〜３のいずれか１項に記載の視認方向性を持った集合画像が設置された微小ガラス球型再帰反射シート。
【請求項５】
少なくとも１つの該集合画像におけるそれぞれの点画像の方位角と、この集合画像に隣接する集合画像におけるそれぞれの点画像の方位角の差（Δε）が、０〜７度である
ことを特徴とする請求項４に記載の視認方向性を持った集合画像が設置された微小ガラス球型再帰反射シート。
【請求項６】
該集合画像を構成するそれぞれの該点画像における該円錐状の視認可能領域の広がり（α）は、５〜２０度である
ことを特徴とする請求項１〜５のいずれか１項に記載の視認方向性を持った集合画像が設置された微小ガラス球型再帰反射シート。
【請求項７】
互いに隣接する該集合画像を構成するそれぞれの点画像の視認可能領域の一部同士は接するもしくは重なる
ことを特徴とする請求項１〜６のいずれか１項に記載の視認方向性を持った集合画像が設置された微小ガラス球型再帰反射シート。
【請求項８】
該微小ガラス球型再帰反射シートが、オープンレンズ型微小ガラス球型再帰反射シート、封入レンズ型微小ガラス球型再帰反射シート、カプセルレンズ型微小ガラス球型再帰反射シートのいずれかである
ことを特徴とする請求項１〜７のいずれか１項に記載の視認方向性を持った集合画像が設置された微小ガラス球型再帰反射シート。
【請求項９】
定められた方向において視認可能な視認方向性を持った点画像が多数集合して形成される集合画像が、少なくとも２種類以上隣接して設置された微小ガラス球型再帰反射シートであって、
該集合画像を構成するそれぞれの点画像の視認可能領域は、それぞれの点画像を頂点とした円錐状の広がりを持ち、互いに隣接する該集合画像を構成するそれぞれの点画像の視認可能領域の一部同士は接するもしくは重なる
ことを特徴とする視認方向性を持った集合画像が設置された微小ガラス球型再帰反射シート。
【発明の詳細な説明】
【技術分野】
【０００１】
本発明は、微小ガラス球型再帰反射シートに関し、特に、視認方向性を持った画像が設置された偽造防止性に優れた微小ガラス球型再帰反射シートに関する。
【背景技術】
【０００２】
再帰反射シートは夜間の視認性が優れていることにより、交通標識、車両ナンバープレート、認証ラベル、または再帰反射型ＲＦＩＤステッカーに好ましく用いられている。このような再帰反射シートとして、運転者や歩行者の安全を確保することを目的として、優れた再帰反射性能を認定する認証マークがシート表面に付与されている再帰反射シートが知られている。そして、これらの認証マークは偽造が困難であることが必要である。【０００３】
このような再帰反射シートに設けられる認証マークに関して、従来からいくつかの提案がなされている。【０００４】
米国特許第４，０８２，４２６号明細書（特許文献１）には、シートの正面上から入射光を受け入れて、入射光の焦点を結ぶのに適した微小球レンズ１２の単層と、微小球レンズの裏面を被覆し、かつ、これらの裏面に追随するように輪郭を有する重合体材料のスペーサ層１４と、このスペーサ層１４の上に被覆された鏡面反射層１６と、スペーサ層１４と鏡面反射層１６との間において像状パターンで配置された像層１５と、からなる反射シートにおいて、像層１５が透明であり、かつ、その像層１５の厚さが微小球レンズ１２の裏面に直面する曲線ピーク区域１９における厚さよりも、微小球レンズ１２の間に対面するスペーサ層１４の谷部区域２０における厚さの方が大であり、それによってシートの像区域からの４５度再帰反射が非像区域からの再帰反射より少なくとも３０％少ないようにされていることを特徴とする反射シートが記載されている。【０００５】
米国特許第４，６３４，２２０号明細書（特許文献２）には、透明な微小球レンズの単層と、前記微小球レンズの後面を少なくとも覆っている透明材料の連続層と、前記透明材料の層の後面にあって離れて区別して見ることができるしるしとから成る、像形成されたシートであって、像を形成すべき領域内において、それぞれ個々の微小球レンズに対して少なくとも１つのしるしが対応しており、それぞれ個々のしるしは、その微小球レンズの中心点を通って延びている軸上に位置しており、これらの軸は、特定された像について相互にほぼ平行であり、その結果、前記しるしは、前記シートを特定の方向から見たときに、像として見える、前記像形成されたシートが記載されている。また、二方向からそれぞれ異なった像が視認できることも記載されている。【０００６】
米国特許第４，６４５，３０１号明細書（特許文献３）には、認証像を含有し、情報の読みやすさを著しく妨げることなく文書の情報部分に接着するように適用し、透明ミクロレンズの単層および前記ミクロレンズの少なくとも背面を覆う透明スペーシング層を含有する改良された実質的に透明なシートにおいて、透明層の背面上の１組の軸方向鏡面反射マーキングは、シートに対して特定の角度をなす中心軸を有する円錐形視野を横切ったときにのみシートの前面に現れる認証像として見ることができ、前記認証像が逆反射性であることを特徴とする、実質的に透明なシートが記載されている。【０００７】
米国特許第４，６５０，２８３号明細書（特許文献４）には、バインダー層に部分的に埋め込まれた透明な微小球の単一層と、微小球体の裏側表面を覆う鏡のように反射する層とを有する再帰反射する層を有する層を有する再帰反射シートにおいて、前記バインダー層が光で発色し、前記微小球体のいくつかは小さな空所を有し、それぞれが微小球体の裏側表面を通して開口し、少なくとも１部の開口が空所の深さより小さく、前記空所は円錐状の視界を横切ったときのみ前方から見ることのできることを特徴とする再帰反射シートが記載されている。【０００８】
米国特許第４，６８８，８９４号明細書（特許文献５）及び米国特許第４，６９１，９９３号明細書（特許文献６）には、微小レンズの単層と、そのうちの少なくともいくつかの微小レンズの後面の背後に配置された光半透過性鏡とを有する実質的に透明なシートであって、逆行反射光で見る条件下では、前記鏡によって占められた領域が明るい逆行反射性であり、そして、少なくともいくつかの微小レンズの後部内または後面上には、通常の拡散光条件下で予め定められた円錐状視野の中で像としてまとまって見ることのできる軸方向性しるしが存在していることを特徴とする前記シートが記載されている。【０００９】
米国特許第４，７０８，９２０号明細書（特許文献７）には、（ａ）狭い間隔を有する透明微小レンズの単層、（ｂ）前記微小レンズを前記単層状に支持するための手段、および（ｃ）一組の実質的に同じ大きさの軸方向のしるしであって、その一組の軸方向のしるしが、選択された円錐状視野全体にわたって、明るい領域と暗い領域の階調を有する一体化した方向性の網点階調像として見ることができ、前記網点階調像の個々のドットが前記微小レンズの直径と少なくとも同じ大きさであるように、各しるしが或る部分における微小レンズの後部に位置している、前記一組の軸方向のしるし、を含んでいることを特徴とする、一体化した方向性の像を含有するシートが記載されている。【００１０】
米国特許第４，７１４，６５６号明細書（特許文献８）には、輪郭依存指向性像を有するシートにおいて、ａ．互いに近接して隔置される透明マイクロレンズから成る単層、ｂ．前記マイクロレンズを前記シートに単層配列で固定する手段、及び、ｃ．前記シートが所定の非平面輪郭に実質的に保たれ、かつ所定の円錐視野内において観察されるときのみ前記シートの前方から完全な像として目に見えるように、おのおのがマイクロレンズの後方に位置しているような１セットの軸方向マーキングを含むことを特徴とするシートが記載されている。【００１１】
米国特許第５，１６９，７０７号明細書（特許文献９）には、実質的に透明なラミネートであって、ａ）実質的に単層で並んだ微小球を含んで成り、該微小球の背面の背後に配置された部分的透光性の反射体を有するベースシート（ここで該微小球は透明バインダー層の中に少なくとも部分的に包埋されている）、ｂ）前記ベースシートの前面に接着したカバーシート、ｃ）前記微小球の前記カバーシート側に配置されたイメージ形成材料の模様を含んで成り、ここで前記模様は第一銘として、通常の拡散光目視状況及び再帰性反射目視状況のもとで見え、前記銘は通常の拡散光目視状況のもとでは実質的に方向性変位イメージにあるラミネートが記載されている。【００１２】
米国特許第６，２８８，８４２号明細書（特許文献１０）には、ａ．第一および第二側面を有する少なくとも一つのマイクロレンズ層、ｂ．マイクロレンズ層の第一側面に近接して配置される材料層、ｃ．複数のマイクロレンズのそれぞれと結びついた材料中に形成された、材料とともにコントラストを有する少なくとも部分的に完全な画像、およびｄ．肉眼にシート材料の上または下、あるいは両方に浮いていると見える、個々の画像により提供される合成画像、を含むシート材料が記載されている。【００１３】
日本特許公開２００３−２１１５７２号公報（特許文献１１）には、平坦な第１面をもつ実質的に透明な層を含んでなる第１層と、鏡面反射層が露出している第２面をもつ再帰反射素子層を含んでなる第２層とからなる再帰反射性物品を用いて、Ａ．第２面の鏡面反射層上に光反応性樹脂層を設置する工程、Ｂ．選択的光照射により光反応性樹脂を部分的に反応させる工程、Ｃ．光反応性樹脂層の選択領域を部分的に除去をする工程、Ｄ．鏡面反射層の部分的除去により像を形成する工程により像が形成された再帰反射性物品が記載されている。【００１４】
日本特許公開２００３−２３３３３６号公報（特許文献１２）には、平坦な第１面をもつ実質的に透明な層を含んでなる第１層と、鏡面反射層が露出している第２面をもつ再帰反射素子層を含んでなる第２層とからなる再帰反射性物品を用いて、Ａ．第２面の鏡面反射層上に光反応性樹脂層を設置する工程、Ｂ．選択的光照射により光反応性樹脂を部分的に反応させる工程、Ｃ．光反応性樹脂層の選択領域を部分的に除去する工程、Ｄ．鏡面反射層の露出部分をその場で非鏡面化することにより像を形成する工程により像が形成された再帰反射性物品が記載されている。【００１５】
国際公開２００８／０２３８３４号（特許文献１３）には、特定の方向において認識可能な認証マークが設置された再帰反射性の表面を持つ車両用ナンバープレートにおいて、該認証マークが車両の進行範囲外から認識可能であることを特徴とする車両用ナンバープレートが記載されている。【００１６】
米国特許出願公開２００８／１３０１２６号明細書（特許文献１４）には、第１および第２側面を有する少なくとも１つのマイクロレンズ層、マイクロレンズ層の第１側面に近接して配置される材料層、複数のマイクロレンズのそれぞれに結びついた材料中に形成された、材料と共にコントラストを有する少なくとも部分的に完全な画像で、肉眼に第１の距離でシート材料の上に浮いて見える、個々の画像により提供される第１の合成画像、肉眼に第２の距離でシート材料の上に浮いていると見える個々の画像により提供される第二の合成画像において、第１の距離と第２の距離がほぼ同じ距離であり、第１の合成画像と第２の合成画像が同じタスクで関連するシート材料を含むユーザーインターフェースが記載されている。【００１７】
特許文献１に記載のインクによる方法では、０°（シートに垂直方向）から見る場合に、像が明らかでなく、観察角が３６０°にわたって４５°の入射光で材料を見る場合に像を見ることができる。傾斜角の違いについては記載されていない。【００１８】
特許文献２及び特許文献３に記載の軸方向しるしでは、垂直線から約８°〜１２°の角度で見る場合に像を見ることができるもので、観察角は３６０°のリング状の視野範囲である。特許文献２に記載の軸方向しるしでは、傾斜角の違いについて約６４°のものと６０°のものが例示されている。特許文献３に記載の軸方向しるしでは、傾斜角の違いについて１２０°のものが例示されている。【００１９】
特許文献４に記載の空所によって形成される指向性のある像では、正面から約１５°の円錐を横切った時にだけ像を見ることができる。傾斜角の違いについては記載されていない。【００２０】
特許文献５及び特許文献６に記載の軸方向性しるしでは、拡散光或いは再帰反射条件において、円錐状視野の中で暗い像としてみることが出来るもので、円錐状視野をいくらか外れた隣接した角度で再帰反射光を見る場合に、明るい像としてみることができる。更に、レーザービームを第一の選択された入射角でシートに像状のやり方で当てた後、レーザービームを異なった選択された入射角でシートに像状のやり方で当てることにより二組のしるしを形成すると、二つの方向性像を有するシートを形成することができ、それぞれがレーザー照射の入射角の所に中心線を持つ円錐状視野で見えることも記載されている。傾斜角の違いについては、別の角度とは記載されているものの具体的な例示はされていない。【００２１】
特許文献７に記載の軸方向のしるしは、軸方向のしるしが一体化した方向性写真像として、レーザー照射の入射角の所に中心線を持つ円錐状視野全体にわたって見ることができるものである。特許文献７の軸方向しるしでは、傾斜角の違いについて３０°のものが例示されている。【００２２】
特許文献８に記載の軸方向マーキングは、輪郭依存指向性像を有するシートが実質的に予め決定された非平面輪郭に保たれていて予め決定された円錐視野内において観察されるときにおいてのみ軸方向マーキングが前記シートの前方から完全な像として視認できるものである。【００２３】
特許文献９に記載の二重レベル検証を有する再帰性セキュリティラミネートは、微小球の上層に設けられた第１銘と、特許文献１と同様な微小球の一部の背面の背後に位置するラッカーを更に含んでなるもので、拡散光状況では透明であり、再帰性反射光状況で見えるレトロ銘である。傾斜角の違いについては記載されていない。【００２４】
特許文献１０に記載の浮遊する合成画像は、約８０〜９０度角度一杯の円錐体にわたって見ることが可能なものである。傾斜角の違いについては記載されていない。【００２５】
特許文献１１に記載の像は、４５度の観察角で像の存在が鮮明に確認できるものである。傾斜角の違いについては記載されていない。【００２６】
特許文献１２に記載の像は、４５度の観察角で像の存在が鮮明に確認できるものである。傾斜角の違いについては記載されていない。【００２７】
特許文献１３に記載の認証マークは、傾斜角を大きくすることで、車両の進行範囲外から認識可能としたものである。傾斜角の違いについては約８６°のものが例示されている。【００２８】
特許文献１４に記載の浮遊する合成画像は、約４０°以上の円錐体にわたって見ることが可能なものである。傾斜角の違いについては記載されていない。
【先行技術文献】
【特許文献】
【００２９】
【特許文献１】米国特許第４，０８２，４２６号公報明細書
【特許文献２】米国特許第４，６３４，２２０号公報明細書
【特許文献３】米国特許第４，６４５，３０１号公報明細書
【特許文献４】米国特許第４，６５０，２８３号公報明細書
【特許文献５】米国特許第４，６８８，８９４号公報明細書
【特許文献６】米国特許第４，６９１，９９３号公報明細書
【特許文献７】米国特許第４，７０８，９２０号公報明細書
【特許文献８】米国特許第４，７１４，６５６号公報明細書
【特許文献９】米国特許第５，１６９，７０７号公報明細書
【特許文献１０】米国特許第６，２８８，８４２号公報明細書
【特許文献１１】日本特許公開２００３−２１１５７２号公報
【特許文献１２】日本特許公開２００３−２３３３３６号公報
【特許文献１３】国際公開２００８／０２３８３４号
【特許文献１４】米国特許出願公開２００８／１３０１２６Ａ１号明細書
【発明の概要】
【発明が解決しようとする課題】
【００３０】
再帰反射シートは夜間の視認性が優れていることにより、交通標識や車両ナンバープレートに好ましく用いられてきた。このような再帰反射シートには、運転者や歩行者の安全を確保することを目的とした、優れた再帰反射性能の認定を示す認証マークがシート表面に付与されている。これらの認証マークは偽造が困難であることが安全性と視認性の確保の面から重要である。【００３１】
本発明が解決しようとしている課題は、再帰反射シートの認証マークや情報表示画像などに好ましく用いることが出来る画像の偽造防止性の向上にある。【００３２】
本発明の他の課題は、観察者に疑似的な動画イメージとして固定画像以上のすぐれた情報を与えることにある。【００３３】
また本発明の他の課題は、優れた偽造防止性を保有した画像が設置された再帰反射シートであって、併せて、観察者に対して優れた画像情報を提供することが出来る画像が設置された再帰反射シートを提供することである。【００３４】
本発明の再帰反射シートの具体的な用途の例としては、交通標識、車両ナンバープレート、認証ラベル、再帰反射型ＲＦＩＤステッカーを挙げることができ、再帰反射シートには、本発明による認証マーク、偽造防止マーク、および情報表示画像が設置されていても良い。
【課題を解決するための手段】
【００３５】
上記課題を解決するため、本発明の再帰反射シートは、定められた方向において視認可能な視認方向性を持った点画像が多数集合して形成される集合画像が、少なくとも２種類以上隣接して設置された微小ガラス球型再帰反射シートにおいて、該集合画像を構成するそれぞれの点画像の視認可能領域は、それぞれの点画像を頂点とした円錐状の広がりを持ち、該集合画像におけるそれぞれの点画像の該視認可能領域の中心軸の傾き（β）は、５〜６０度であり、互いに隣接する集合画像におけるそれぞれの点画像の該視認可能領域の中心軸の傾きの差（Δβ）が５〜２５度であり、それぞれの該集合画像を構成する該点画像の中心軸の傾きの方位は、該中心軸を該再帰反射シートの中心を通るように平行移動したときに、該再帰反射シートの表面に垂直、かつ該再帰反射シートの中心を通る中心線を含む面に対していずれも同じ側にあることを特徴とする視認方向性を持った集合画像が設置された微小ガラス球型再帰反射シートである。【００３６】
すなわち、本発明に用いることのできる微小ガラス球型再帰反射シート上に設置された画像は、定められた方向において視認可能な視認方向性をもった点画像が多数集合して形成される集合画像によって構成されている。【００３７】
本発明に用いる点画像は、該点画像が集合してなる集合画像として観察者が認識可能な大きさであれば、その寸法に特に制限はなく、また、点画像そのものが認識可能である必要はないが、好ましくは１０〜１，０００μｍの大きさが好ましい。また、点画像の色調は、設置される再帰反射シートとの色調の差が十分に識別できるほどの色差をもって形成されていることが好ましく、国際照明委員会（ＣＩＥ）が１９７６年に定めた均等色空間に規定されるＬ＊ａ＊ｂ＊色空間系において規定される色差（ΔＥ＊）が０．６以上、さらに好ましくは１．５以上であることが好ましい。【００３８】
また、それぞれの点画像の形状は、集合画像としての画像認識ができるような形状であれば特に制限を受けるものではないが、例えば、円、楕円、正方形、長方形、平行四辺形、三角形等であり、さらに、これらの形状が混合されていてもよい。また、画像と非画像領域の境界は、明確なものである必要はなく、段階的に色調や形状が変化するものであっても良い。【００３９】
また、設置された点画像は、直接観察者の目に到達しても良いが、微小ガラス球などの光学素子によって適宜、拡大、縮小されて、観察者の目に到達されることが好ましい。再帰反射シートを構成する層のいずれかに蛍光染料などを混合した波長変換層、無機フィラーを分散させた光拡散層、微小プリズムにより構成される屈折層などを設置しても良い。【００４０】
さらに、一般的な印刷技術により形成される印刷画像のように、全ての方向から認識可能な画像と異なり、本発明における集合画像を構成する点画像群の視認可能領域は、特定の方向においてのみ視認可能な点画像群である。即ち、本発明における集合画像を構成する点画像の視認可能領域は、点画像を頂点とした円錐状の広がりを持っている。このような円錐状の広がりを持つ視認可能領域をもつ点画像は従来公知のレーザーエッチング技術やフォトリソグラフ技術により微小ガラス球型再帰反射シート上に設置可能である。【００４１】
さらに、該集合画像におけるそれぞれの点画像の視認可能領域の中心軸の傾き（β）の大きさは、５〜６０度の傾きをもって設置されている。また、傾きの方位角（ε）は、本発明の再帰反射シートを貼付する標識板の設置方向などを参考として適宜決定することができる。これらの傾き（β）や方位角（ε）は、実質的にレーザーエッチングやリソグラフの光線照射方向により定められる。リソグラフに用いるエネルギー光線は、可視光、紫外光、電子線などを適宜選択することができる。なお、本明細書において、方位角（ε）とは、再帰反射シートに垂直な方向に沿ってみる場合に、視認可能領域の中心軸が向いている方向を差す。つまり、視認可能領域の中心軸が再帰反射シート上に斜影される場合の直線の方向を差す。【００４２】
さらに、本発明において、互いに隣接する集合画像におけるそれぞれの点画像の円錐状の視認可能領域の中心軸の傾きの差（Δβ）は、５〜２５度である。【００４３】
このように中心軸の傾きの差（Δβ）が５〜２５度の範囲内で設置された集合画像の組合せは、再帰反射シートを中心軸の傾きの方位に揺り動かせて見た時（以降、揺動観察とも言う）に、観察者に残像現象により隣り合う集合画像の組合せが、隣接して設置された集合画像の方向に動画のように動いて見える効果を与える。【００４４】
また、本技術の発明者らによる観察者の行動測定によれば、観察者が再帰反射シートを揺り動かす周期は通常０．５〜２秒であり、揺り動かす角度範囲は広くとも４０度以内であることが確認されている。かかる標準的な揺動観察条件において本発明における組み合わされた集合画像群は、残像効果により観察者に動画効果を与えることが可能である。【００４５】
従って、本発明における揺動観察による動画効果は、一般的な固定された画像にはない優れた情報付与効果を観察者に与える。さらに画像の設置された再帰反射シートに優れた偽造防止効果を与えるものである。【００４６】
また、上述のように互いに隣接する集合画像におけるそれぞれの点画像の視認可能領域の中心軸の傾きの差（Δβ）が５〜２５度であることにより、動画効果を際立たせることができる。この中心軸の傾きの差（Δβ）が２５度を超えて設置された場合には、揺動観察時間の周期が残像時間以上に長くなるために、隣接した集合画像が独立した像として観察されてしまい動画効果が著しく損なわれて好ましくない。また、５度未満で設置された場合には隣接した集合画像が区別しにくくなり動画効果が損なわれるという問題点を生じやすい。【００４７】
従来公知の技術において、この中心軸の傾きの差（Δβ）を持った集合画像の組合せは知られているが、中心軸の傾きの差（Δβ）が５〜２５度の範囲内で設置された集合画像の組合せは知られておらず、好ましい偽造防止効果や動画効果を与えるものではなかった。【００４８】
本発明における集合画像におけるそれぞれの点画像の該視認可能領域の中心軸の傾き（β）は、上述のように５〜６０度とされ、好ましくは１０〜６０度であり、さらに好ましくは１０〜４５度である。さらに、互いに隣接する集合画像におけるそれぞれの点画像の視認可能領域の中心軸の傾きの差（Δβ）が、５〜２５度の範囲内で異なるようにして設置される。互いに隣接する集合画像におけるそれぞれの点画像の該視認可能領域の中心軸の傾きの差（Δβ）が５〜２５度である。【００４９】
なお、この中心軸の傾き（β）は、点画像から再帰反射シートに垂直に立てられた垂線と中心軸とがなす角度をいい、再帰反射シートの表面に平行な方向に沿って見る場合（断面から見る場合）に、中心軸が再帰反射シートの垂線から一方側に傾いている場合の角度と、他方側に傾いている場合の角度とを含む。また、傾きの方位角（ε）はシートに対してどの方向でも適宜０〜３６０度変化させてよい。【００５０】
具体的には、一つの集合画像おけるそれぞれの点画像の該視認可能領域の中心軸の傾き（β１）が例えば１０度である場合に、この集合画像と隣接する集合画像におけるそれぞれの点画像の該視認可能領域の中心軸の傾き（β２）との差（Δβ）が、５度で、かつ、前記一つの集合画像におけるそれぞれの点画像の方位角と、この集合画像に隣接する集合画像におけるそれぞれの点画像の方位角との差（Δε）が０度である場合、隣接する集合画像におけるそれぞれの点画像の該視認可能領域の中心軸の傾き（β２）は、５度または１５度である。さらに、互いに隣接する集合画像におけるそれぞれの点画像の該視認可能領域の中心軸の傾きの差（Δβ）が、２５度となる場合、隣接する集合画像におけるそれぞれの点画像の該視認可能領域の中心軸の傾き（β２）は、３５度である。【００５１】
βが＋角度と＋角度ものとを組み合わせるのは、一方を５度〜３５度、他方を１０度〜６０度とし、△βを５度〜２５度、好ましくは８度〜２２度とすることで、他方側の角度が大きすぎず視認困難ということもなく、観察者に残像現象により隣り合う集合画像の組合せが、隣接して設置された集合画像の方向に動画のように動いて見える効果を与えることができるので好ましい。【００５２】
本発明における円錐状の視認可能領域中心軸の傾き（β）が６０度を超える場合には、観察者がシートを観察する場合に視線に対してシートを著しく傾斜させてみる必要があり視認性が劣り好ましくない。【００５３】
また、本発明においては、少なくとも１つの該集合画像におけるそれぞれの点画像の方位角と、この集合画像に隣接する集合画像におけるそれぞれの点画像の方位角との差（Δε）が、０〜１０度であることが好ましい。【００５４】
さらに好ましくは、この方位角の差（Δε）が、０〜７度であることがより好ましい。【００５５】
この方位角の差（Δε）が１０度以内であれば、隣接した集合画像が区別し易く好ましい。このような方位角の差（Δε）を持った集合画像の組合せは従来知られていない。【００５６】
また、本発明の集合画像を構成するそれぞれの点画像における視認可能領域は、上述のように点画像を頂点とした円錐状の広がりを持ち、該円錐状の視認可能領域の広がり（α）が５〜２０度であることが好ましい。【００５７】
この円錐状の視認可能領域の広がり（α）が５度以上であれば、点画像が集合して形成される集合画像の視認性がに優れており好ましい。また、この円錐状の視認可能領域の広がり（α）が２０度以下であれば、隣接する集合画像との区別がつき易く好ましい。【００５８】
このような視認可能領域の広がり（α）は微小ガラス球再帰反射素子を構成する鏡面反射層上に設置された点画像が微小ガラス球型レンズの球面収差により広がるなどの原因により生じる。【００５９】
以上説明した本発明の点画像群を設置するのに好ましい再帰反射シートは、オープンレンズ型微小ガラス球型再帰反射シート、封入レンズ型微小ガラス球型再帰反射シート、または、カプセルレンズ型微小ガラス球型再帰反射シートのいずれか、あるいは、これらの再帰反射シートの組み合わせを用いることができる。【００６０】
また、いずれのタイプの再帰反射シートにおいても微小ガラス球再帰反射素子は鏡面反射層が設置されていることが好ましい。鏡面反射層は、通常、アルミニウム、銀、ニッケル、モリブデン、銅などを適宜単独または混合して、あるいは積層して用いることができる。【００６１】
さらに、本発明における点画像は、微小ガラス球型再帰反射素子の鏡面反射層に設置されていることが好ましい。【００６２】
また、微小ガラス球型再帰反射素子の鏡面反射層に設置された点画像が、レーザー光線の照射による鏡面反射層の除去により設置することが好ましい。このレーザーの照射による鏡面反射層の除去は、シート表面から傾きをもってレーザー光を照射する方法や、シート裏面方向から直接鏡面反射層を構成する金属成分をレーザー光で除去する方法を例示することができる。【００６３】
本発明において、隣接して設置された集合画像の形状が、合同または相似形であることが好ましい。このような形状が合同または相似形の形状の集合画像の組合せは、視野角を変えて観察した際に、本発明の目的の一つである動画効果が顕著に表れるために好ましい。ここで視野角とは、観察者がシートを観察する場合に、シートに設置された画像からの垂線に対して、シートに設置された画像、観察者がなす角度である。【００６４】
また、集合画像は画像全体が合同または相似形状である必要はなく、集合図形の一部が合同または相似形状であっても動画効果が得られる。【００６５】
さらに、本発明における合同または相似形の集合画像の組合せは、隣接して設置された集合画像の形状が繰り返しのパターンで配置された合同または相似形の形で位相差をもって配置されていることが好ましい。【００６６】
たとえば、山形の円弧状の形状を繰り返して配置した正弦曲線様の組合せが好ましい形状として例示することができる。このような正弦曲線が合同または相似形状で繰り返しのパターンで位相差をもって配置された集合図形の組合せは正弦波が横に移動して見えるような動画効果を与える。【００６７】
さらに好ましくは、本発明における合同または相似形の集合画像の組合せは、隣接して設置された集合画像の形状が繰り返しのパターンで配置された合同の形で位相差をもって配置されており、さらに、該位相差が繰り返し周期の１／ｎ（ｎは２〜５）であることが動画効果を顕著にする効果を与える。
【発明の効果】
【００６８】
隣接して設置された集合画像の形状が繰り返しのパターンで配置された合同または相似形の形で位相差をもって配置されている視認方向性を持った画像が設置され、改善された偽造防止性をもつ画像が認証マークや情報表示マークとして設置された再帰反射シートに関する。上述のような異なる視認方向性を持った画像を隣接して２つ以上設置することにより、観察者の視線をわずかに変化させた時に、残像現象によって画像が疑似的に動いているかのような動画効果を与えることが出来て、優れた偽造防止効果をもたらすことが出来る。
【図面の簡単な説明】
【００６９】
【図１】従来技術による点画像の視認方向性を示す図である。
【図２】本発明による点画像の視認方向性を示す図である。
【図３】本発明の実施形態による視認方向性を持った集合画像が設置された再帰反射シートを示す斜視図である。
【図４】図３に示す再帰反射シートにおける集合画像を説明する図である。
【図５】図３の再帰反射シートにおける再帰反射の様子を示す断面図である。
【図６】図３の（Ａ）に示す集合画像が描かれる再帰反射の様子を示す断面図である。
【図７】図３の（Ｂ）に示す集合画像が描かれる再帰反射の様子を示す断面図である。
【図８】本発明の他の実施形態による視認方向性を持った集合画像が設置された再帰反射シートを示す斜視図である。
【図９】図８に示す再帰反射シートにおける集合画像を示す図である。
【図１０】本発明のさらに他の実施形態における集合画像を示す図である。
【図１１】本発明のさらに他の実施形態における集合画像を示す図である。
【図１２】本発明のさらに他の実施形態における集合画像を示す図である。
【発明を実施するための形態】
【００７０】
以下、本発明による再帰反射物品の好ましい実施形態を、図面を参照しながら詳細に説明を行う。
【００７１】
図１は従来技術による点画像の視認方向性を示す図である。
【００７２】
点画像（Ｐ）は、円錐状の視認可能領域の中心軸（Ｖｏ）が傾きをもって設置されており、その傾斜角度（β）は、点画像（Ｐ）上にたてられた再帰反射シートの表面に対する垂線（Ｖｐ）と、円錐状の視認可能領域の中心軸（Ｖｏ）との間の角度で定義される。また、円錐状の視認可能領域は、広がり（α）を有している。
【００７３】
図２は、本発明による点画像の視認方向性を示す図である。
【００７４】
図１と同様にして、２つの点画像（Ｐ１、Ｐ２）において、それぞれの点画像（Ｐ１、Ｐ２）における円錐状の視認可能領域の中心軸（Ｖｏ１、Ｖｏ２）が、傾きをもって設置されており、中心軸（Ｖｏ１、Ｖｏ２）の傾き（β１、β２）は、それぞれの点画像（Ｐ１、Ｐ２）上にたてられた再帰反射シートの表面に対する垂線（Ｖｐ）と、それぞれの円錐状の視認可能領域の中心軸（Ｖｏ１、Ｖｏ２）との間の角度で定義される。またそれぞれの円錐状の視認可能領域は、広がり（α１、α２）を有している。
【００７５】
さらに、二つの点画像（Ｐ１、Ｐ２）の中心軸（Ｖｏ１、Ｖｏ２）のそれぞれの方位角（ε１）と方位角（ε２）とがなす角度はε１２（Δε）で示されている。この角度（ε１２）は、垂線（Ｖｐ）と軸（Ｖｏ１）とを含む面と、垂線（Ｖｐ）と軸（Ｖｏ２）とを含む面とがなす角度と同等である。一方、従来技術における点画像はすべての中心軸の方位角が同一であり、このε１２がゼロであった。
【００７６】
図３は本発明の実施形態による視認方向性を持った集合画像が設置された再帰反射シートを示す斜視図である。
【００７７】
図３の（Ａ）に示すように、再帰反射シート１００には、正弦波状の集合画像（Ｌ１）が描かれており、その集合画像を構成する点画像の視認可能領域の中心軸（Ｖｏ１）の傾きの方位は、再帰反射シートに垂直で、かつ、再帰反射シートａｂｃｄの短辺ａｂの中点とｃｄの中点を通る中心線を含む面に対して左方向に傾斜している。なお、点ｅは、反射シートの中心である。再帰反射シートの中心線は、再帰反射シートを長方形としたときに、短辺の中点どうしを結んだ線である。
【００７８】
また、図３の（Ｂ）に示すように、再帰反射シート１００には、集合画像（Ｌ１）に隣接している、正弦波状の集合画像（Ｌ２）がさらに描かれており、その集合画像（Ｌ２）を構成する点画像の視認可能領域の中心軸（Ｖｏ２）の傾きの方位は、再帰反射シートにたてた垂線（Ｖｐ）に対して、図面左方向に大きく傾斜している。つまり、中心軸（Ｖｏ１）と、中心軸（Ｖｏ２）とは、再帰反射シートに垂直で、かつ、再帰反射シートａｂｃｄの短辺ａｂの中点とｃｄの中点を通る中心線を含む面に対して左方向に傾斜している。
【００７９】
さらに、集合画像（Ｌ１、Ｌ２）におけるそれぞれの点画像の該視認可能領域の中心軸の傾きは、垂線（Ｖｐ）に対して、５度以上６０度以下にされており、互いに隣接する集合画像（Ｌ１、Ｌ２）におけるそれぞれの点画像の該視認可能領域の中心軸の傾きの差（Δβ）が５〜２５度とされている。そして、集合画像（Ｌ２）は、集合画像（Ｌ１）と同一形状であり、位相差をもって描かれており、この位相差は、正弦波長の周期の四分の一となっている。
【００８０】
図４は、図３に示す再帰反射シートにおける集合画像（Ｌ１、Ｌ２）を説明する図である。
【００８１】
図４の（Ａ）は、図３の（Ａ）に示されている正弦波状の集合画像（Ｌ１）の平面図であり、図４の（Ｂ）は、図３の（Ｂ）に示されている正弦波状の集合画像（Ｌ２）の平面図を示している。
【００８２】
また、図４の（Ｓ）は、集合画像（Ｌ１）と、集合画像（Ｌ２）とが重ね合わせて描かれた平面図である。
【００８３】
この互いに隣接する二つの集合画像（Ｌ１、Ｌ２）を構成するそれぞれの点画像（Ｐ１、Ｐ２）の視認可能領域が接しておらずかつ重ならない場合、該二つの集合画像（Ｌ１、Ｌ２）は、同一の視野角において、一緒に観察されることはなく、揺動観察を行った時にこれらの集合画像（Ｌ１、Ｌ２）が交互に観察され、残像効果により正弦波状の集合画像が横方向に移動しているように見ることができる。しかし、各点画像（Ｐ１、Ｐ２）における視認可能領域が離れるほど、揺動の速度を速めなければ残像効果が得られない傾向にある。また、残像効果には個人差がある。したがって、揺動速度の違いや個人差にかかわらず、滑らかに移動しているように像を視認させるためには、互いに隣接する集合画像（Ｌ１、Ｌ２）を構成するそれぞれの点画像（Ｐ１、Ｐ２）の視認可能領域同士の一部が接するもしくは重なる場合とするほうが好ましい。
【００８４】
次に、このように集合画像（Ｌ１）視認可能領域の中心軸（Ｖｏ１）と、集合画像（Ｌ２）の視認可能領域の中心軸（Ｖｏ２）が、互いに異なっている原理について説明する。
【００８５】
図５は、図３の再帰反射シートにおける再帰反射の様子を示す断面図である。具体的には、図５に示す集合画像（Ｌ１）と集合画像（Ｌ２）とが交わる領域における断面図である。なお、本発明の再帰反射シート１００は、図５に示す再帰反射シートに限定されず、上述のように、オープンレンズ型微小ガラス球型再帰反射シート、封入レンズ型微小ガラス球型再帰反射シート、または、カプセルレンズ型微小ガラス球型再帰反射シートのいずれか、あるいは、これらの再帰反射シートの組み合わせを用いることができる。
【００８６】
図５に示すように、再帰反射シート１００は、表面保護層７０と、表面保護層７０の一方の面上の保持層６０と、保持層６０の表面保護層７０とは反対側の表面において保持される複数のマイクロレンズ５１からなるマイクロレンズ層５０と、マイクロレンズ層５０の保持層６０とは反対側に設けられる鏡面反射層３０と、それぞれのマイクロレンズ５１と鏡面反射層３０との間に設けられる焦点形成層４０と、鏡面反射層３０のマイクロレンズ層５０側とは反対側の表面に設けられる接着剤層２０と、接着層２０を保護する保護紙１０とを備える。なお、必要に応じて、表面保護層７０と保持層との間等に所定の模様を印刷する印刷層を設けても良い。
【００８７】
表面保護層７０は、光透過性の平坦なフィルム状の樹脂から構成される。
【００８８】
保持層６０は、光透過性であり、表面保護層７０と反対側においてマイクロレンズ５１が、マイクロレンズ５１の略中心まで入り込んでいる。
【００８９】
マイクロレンズ層５０の複数のマイクロレンズ５１は、上述のようにそれぞれ保持層６０に略中心まで入り込んでおり、保持層６０により表面の半分が被覆されている。また、それぞれのマイクロレンズ５１における保持層６０で被覆されていない部分は、焦点形成層４０で被覆されている。
【００９０】
鏡面反射層３０は、焦点形成層４０の表面上に設けられている。そして、鏡面反射層３０のマイクロレンズ５１側の表面と、それぞれのマイクロレンズ５１の表面とが、焦点形成層４０を介して、一定の距離をあけて対向して、反射領域３１が形成されている。
【００９１】
また、鏡面反射層３０における集合画像（Ｌ１）が描かれる位置における反射領域３１には、それぞれのマイクロレンズ５１の中心を基準とした一方側にドット状の欠落３５ａが形成されている。この欠落３５ａは、集合画像（Ｌ１）が描かれる位置において、それぞれのマイクロレンズ５１と対向するそれぞれの反射領域３１において同じ位置に形成されている。同様に鏡面反射層３０における集合画像（Ｌ２）が描かれる位置における反射領域３１には、それぞれのマイクロレンズ５１の中心を基準として欠落３５ａが形成されている側と同じ側にドット状の欠落３５ｂが形成されている。この欠落３５ｂは、それぞれのマイクロレンズ５１の中心から欠落３５ａまでの距離よりも長い距離となる位置に形成されている。
【００９２】
なお、図５は、上述のように、集合画像（Ｌ１）と集合画像（Ｌ２）とが交わる領域における断面図であるため、ドット状の欠落３５ａ、３５ｂは、それぞれ同じマイクロレンズ５１と対向する反射領域３１形成されている。さらに、図５においては、集合画像（Ｌ１）及び集合画像（Ｌ２）が描かれる位置における反射領域３１と、画像が描かれなく、欠落３５ａ、３５ｂが形成されていない反射領域３１とが示されている。
【００９３】
鏡面反射層３０のマイクロレンズ層５０側と反対側に設けられる接着剤層２０は、再帰反射シート１００を図示しない他の物体に貼着するために設けられている。また、保護紙１０は、再帰反射シート１００を他の物体に貼着するまで接着剤層２０を保護する。
【００９４】
再帰反射シート１００を構成する各部材の材料について説明する。
【００９５】
表面保護層７０は、塩化ビニル樹脂からなる。保持層６０は、アクリル樹脂からなる。マイクロレンズ５１はガラスからなる。焦点形成層４０は、アクリル樹脂からなる。鏡面反射層３０は、蒸着されたアルミからなる。接着剤層２０は、アクリル樹脂からなる。
【００９６】
次に再帰反射シート１００において、集合画像（Ｌ１）と集合画像（Ｌ２）とが描かれる様子について説明する。
【００９７】
図５に示すように、光Ｌは、再帰反射シート１００の表面保護層７０側から、再帰反射シート１００の表面に垂直な方向に対して所定の傾きをなす方向から再帰反射シート１００に入射する。そして、再帰反射シート１００に入射する光Ｌは、マイクロレンズ５１の表面で屈折をして、マイクロレンズ５１から出射される。マイクロレンズ５１から出射された光Ｌは、鏡面反射層３０におけるそれぞれの反射領域３１において集光する。そして、集光した光は、反射領域３１で反射して再びマイクロレンズ５１に入射する。そして、光Ｌは、マイクロレンズ５１の表面で屈折をして、マイクロレンズ５１から出射する。このとき、光Ｌは、再帰反射シート１００の表面に垂直な方向に対して、再帰反射シート１００に入射するときの傾きと同じ傾きの方向に出射する。従って、再帰反射シート１００は、光源から照射される光を光源に向かって反射する。このとき、図５に示すように鏡面反射層３０のそれぞれの反射領域３１において集光する光が、欠落３５ａ、或いは、欠落３５ｂにおいて集光しない限り、欠落３５ａ、３５ｂが形成された反射領域３１においても集光する光は反射される。従って、光Ｌと同じ方向から再帰反射シート１００を観察する観察者は、集合画像（Ｌ１、Ｌ２）を認識することができない。
【００９８】
図６は、図３の（Ａ）に示す集合画像が描かれる再帰反射の様子を示す断面図である。図６に示すように、中心軸（Ｖｏ１）から再帰反射シート１００に入射する光Ｌ、すなわち、再帰反射シート１００の表面に対する垂線（Ｖｐ）に対して傾き（β１）で入射する光Ｌのうち、集合画像（Ｌ１）を形成するマイクロレンズ５１に入射する光は、鏡面反射層３０の反射領域３１の表面において集光するとき、反射領域３１におけるドット状の欠落３５ａにおいて集光して、この光Ｌは反射されない。従って、図６において破線で示すように、再帰反射シート１００の表面に対する垂線（Ｖｐ）に対して、傾き（β１）をなす方向から光Ｌが入射する場合、集合画像（Ｌ１）が描かれている位置においては、再帰反射光が欠落して、集合画像（Ｌ１）を構成するそれぞれの点画像（Ｐ１）となる。一方、集合画像（Ｌ１）が描かれていない位置においては、マイクロレンズ５１に入射する光Ｌは、鏡面反射層３０で反射して、再帰反射シート１００の表面に対する垂線（Ｖｐ）に対して傾き（β１）をなす方向、すなわち、中心軸（Ｖｏ１）に沿った方向に出射される。こうして、中心軸（Ｖｏ１）に沿って再帰反射シート１００を観察する観察者は、鏡面反射層３１上に比較的暗い集合画像（Ｌ１）として認識できる。
【００９９】
図７は、図３の（Ｂ）に示す集合画像が描かれる再帰反射の様子を示す断面図である。図７に示すように、中心軸（Ｖｏ２）から再帰反射シート１００に入射する光Ｌ、すなわち、再帰反射シート１００の表面に対する垂線（Ｖｐ）に対して傾き（β２）で入射する光Ｌのうち、集合画像（Ｌ２）を形成するマイクロレンズ５１に入射する光は、鏡面反射層３０の反射領域３１の表面において集光するとき、反射領域３１におけるドット状の欠落３５ｂにおいて集光して、この光Ｌは反射されない。従って、図７において破線で示すように、再帰反射シート１００の表面に対する垂線（Ｖｐ）に対して、傾き（β２）をなす方向から光Ｌが入射する場合、集合画像（Ｌ２）が描かれている位置においては、再帰反射光が欠落して、集合画像（Ｌ２）を構成するそれぞれの点画像（Ｐ２）となる。一方、集合画像（Ｌ２）が描かれていない位置においては、マイクロレンズ５１に入射する光Ｌは、鏡面反射層３０で反射して、再帰反射シート１００の表面に対する垂線（Ｖｐ）に対して傾き（β２）をなす方向、すなわち、中心軸（Ｖｏ２）に沿った方向に出射される。こうして、中心軸（Ｖｏ２）に沿って再帰反射シート１００を観察する観察者は、鏡面反射層３１上に比較的暗い集合画像（Ｌ２）として認識できる。
【０１００】
なお、円錐状の視認可能領域の広がり（α１、α２）は、それぞれドット状の欠落３５ａ、３５ｂの大きさを変えることにより、適宜変更することができる。
【０１０１】
次に本発明の他の実施形態について説明する。図８は、本発明の他の実施形態による視認方向性を持った集合画像が設置された再帰反射シートを示す斜視図である。図８の（Ａ）に示すように、再帰反射シート１００には、正弦波状の集合画像（Ｌ１）が描かれており、その集合画像を構成する点画像の視認可能領域の中心軸（Ｖｏ１）の傾きの方位は、再帰反射シートにたてた垂線（Ｖｐ）に対して、図面左方向に傾斜している。
【０１０２】
また、図８の（Ｂ）に示すように、再帰反射シート１００には、集合画像（Ｌ１）に隣接している、正弦波状の集合画像（Ｌ２）が描かれており、その集合画像を構成する点画像の視認可能領域の中心軸（Ｖｏ２）が傾きの方位は、中心軸（Ｖｏ１）と同様に、再帰反射シートにたてた垂線（Ｖｐ）に対して、図面左方向に傾斜し、その傾斜角度は、中心軸（Ｖｏ１）よりも大きい状態にある。また、集合画像（Ｌ２）は、集合画像（Ｌ１）と同一形状であり、位相差をもって描かれており、この位相差は、正弦波長の周期の六分の一となっている。
【０１０３】
また、図８の（Ｃ）に示すように、再帰反射シート１００には、同じく正弦波状の集合画像（Ｌ３）が描かれており、その集合画像（Ｌ３）を構成する点画像の視認可能領域の中心軸（Ｖｏ３）が傾きの方位は、中心軸（Ｖｏ１、Ｖｏ２）と同様に、再帰反射シート１００にたてた垂線（Ｖｐ）に対して、図面左方向に傾斜し、中心線（Ｖｏ１）と、中心線（Ｖｏ３）とは、垂線（Ｖｐ）を挟んで反対方向に位置している。その傾斜角度は、中心軸（Ｖｏ２）よりも大きい状態にある。また、集合画像（Ｌ３）は、集合画像（Ｌ１）と同一形状であり、位相差をもって描かれており、この位相差は、正弦波長の周期の六分の二となっている。
【０１０４】
さらに、集合画像（Ｌ１、Ｌ２、Ｌ３）におけるそれぞれの点画像の該視認可能領域の中心軸の傾きは、垂線（Ｖｐ）に対して、５度以上６０度以下にされており、互いに隣接する集合画像（Ｌ１、Ｌ２、Ｌ３）におけるそれぞれの点画像の該視認可能領域の中心軸の傾きの差（Δβ）が５〜２５度とされている。
【０１０５】
図９は、図８に示す再帰反射シート１００における集合画像（Ｌ１、Ｌ２、Ｌ３）を示す図である。
【０１０６】
図９の（Ａ）は、図８の（Ａ）に示されている正弦波状の集合画像（Ｌ１）の平面図であり、図９の（Ｂ）は、図８の（Ｂ）に示されている正弦波状の集合画像（Ｌ２）の平面図であり、図９の（Ｃ）は、図８の（Ｃ）に示されている正弦波状の集合画像（Ｌ３）の平面図を示している。
【０１０７】
図９の（Ｓ）は、３つの正弦波状の集合画像（Ｌ１、Ｌ２、Ｌ３）が重ね合わせて描かれた平面図である。このような三つの集合画像（Ｌ１、Ｌ２、Ｌ３）は、揺動観察を行った時には残像効果により横方向に移動しているように見ることができる。
【０１０８】
図１０は、本発明のさらに他の実施形態における集合画像を示す図である。
【０１０９】
図１０の（Ａ）、（Ｂ）および（Ｃ）は、異なる視野角において観察することができる楕円形状の集合画像の組合せである。集合画像（Ａ）、（Ｂ）および（Ｃ）は、図面縦方向に設置されている。これらの集合画像の形状は合同、相似形状であっても良い。
【０１１０】
図１０においては、集合画像（Ａ）、（Ｂ）及び（Ｃ）におけるそれぞれの点画像の該視認可能領域の中心軸の傾きは、再帰反射シートに対する垂線に対して、５度以上６０度以下にされており、互いに隣接する集合画像（Ａ）、（Ｂ）及び（Ｃ）におけるそれぞれの点画像の該視認可能領域の中心軸の傾きの差（Δβ）が５〜２５度、好ましくは８〜２２度で設置された集合画像が３種類組合せられて設置されている。そして、互いに隣接する集合画像を構成するそれぞれの点画像の視認可能領域同士が接しておらずかつ重ならない場合、固定した視野角では、１種類の集合画像だけが観察可能であり、他の集合画像については観察できない。これに対し、再帰反射シートを中心軸の傾きの方位に揺り動かせて揺動観察を行ったときには、残像現象により３つの集合画像の組合せが上下に移動しているように観察可能となる。一方、互いに隣接する集合画像を構成するそれぞれの点画像の視認可能領域同士が接するもしくは重なる場合、固定した視野角では、２種類の集合画像が観察できることがあるものの、３種類の集合画像については観察できない。これに対し、再帰反射シートを中心軸の傾きの方位に揺り動かせて揺動観察を行ったときには、集合画像の組合せが、揺動速度の違いや個人差にかかわらず上下に滑らかに移動しているように観察可能となる。なお、観察者はボールが上下に飛び跳ねているような像を見るであろう。
【０１１１】
このような無意味な集合画像を組み合わせて設置した再帰反射シートは特定の条件での揺動観察により動画現象を発現することができるので、好ましい偽造防止効果を与えることができる。
【０１１２】
図１１は、本発明のさらに他の実施形態における集合画像を示す図である。
【０１１３】
図１１の（Ａ）、（Ｂ）および（Ｃ）は異なる視野角において観察することができる楕円形状の集合画像の組合せである。集合画像（Ａ）、（Ｂ）および（Ｃ）は図面斜め方向に位相差をもって設置されている。これらの集合画像の形状は合同、相似形状であっても良い。
【０１１４】
図１１においては、集合画像（Ａ）、（Ｂ）及び（Ｃ）におけるそれぞれの点画像の該視認可能領域の中心軸の傾きは、再帰反射シートに対する垂線に対して、５度以上６０度以下にされており、互いに隣接する集合画像（Ａ）、（Ｂ）及び（Ｃ）におけるそれぞれの点画像の該視認可能領域の中心軸の傾きの差（Δβ）が５〜２５度、好ましくは８〜２２度で設置された集合画像が３種類組合せられて設置されている。そして、互いに隣接する集合画像を構成するそれぞれの点画像の視認可能領域同士が接しておらずかつ重ならない場合、固定した視野角では、１種類の集合画像だけが観察可能であり、他の集合画像については観察できない。これに対し、再帰反射シートを中心軸の傾きの方位に揺り動かせて揺動観察を行ったときには、残像現象により３つの集合画像の組合せが上下左右に移動しているように観察可能となる。一方、互いに隣接する集合画像を構成するそれぞれの点画像の視認可能領域同士が接するもしくは重なる場合、固定した視野角では、２種類の集合画像が観察できることがあるものの、３種類の集合画像については観察できない。これに対し、再帰反射シートを中心軸の傾きの方位に揺り動かせて揺動観察を行ったときには、集合画像の組合せが、揺動速度の違いや個人差にかかわらず上下左右に滑らかに移動しているように観察可能となる。なお、観察者はボールが横方向に跳ねているような像を見るであろう。
【０１１５】
このような無意味な集合画像を組み合わせて設置した再帰反射シートは特定の条件での揺動観察により動画現象を発現することができるので、図１０の実施態様と同様に好ましい偽造防止効果を与えることができる。
【０１１６】
図１２は、本発明のさらに他の実施形態における集合画像を示す図である。
【０１１７】
図１２において、集合画像（Ａ）、（Ｂ）及び（Ｃ）におけるそれぞれの点画像の該視認可能領域の中心軸の傾きは、再帰反射シートに対する垂線に対して、５度以上６０度以下にされており、互いに隣接する集合画像（Ａ）、（Ｂ）及び（Ｃ）におけるそれぞれの点画像の該視認可能領域の中心軸の傾きの差（Δβ）が５〜２５度、好ましくは８〜２２度で設置された集合画像が３種類組合せられて設置されている。そして、互いに隣接する集合画像を構成するそれぞれの点画像の視認可能領域同士が接しておらずかつ重ならない場合、固定した視野角では、１種類の集合画像だけが観察可能であり、他の集合画像については観察できない。これに対し、再帰反射シートを中心軸の傾きの方位に揺り動かせて揺動観察を行ったときには、残像現象により３つの集合画像の組合せが、隣接して設置された集合画像と組み合されて単独の集合画像とは異なった意味のある画像（Ｓ）として観察可能となる。一方、互いに隣接する集合画像を構成するそれぞれの点画像の視認可能領域同士が接するもしくは重なる場合、固定した視野角では、２種類の集合画像が観察できることがあるものの、３種類の集合画像については観察できない。これに対し、再帰反射シートを中心軸の傾きの方位に揺り動かせて揺動観察を行ったときには、集合画像の組合せが、揺動速度の違いや個人差にかかわらず、隣接して設置された集合画像と組み合されて単独の集合画像とは異なった意味のある画像（Ｓ）として観察可能となる。
【０１１８】
このような無意味な集合画像を組み合わせて設置した再帰反射シートは特定の条件での揺動観察により意味な情報を発現することができるので、好ましい偽造防止効果を与えることができる。
【産業上の利用可能性】
【０１１９】
本発明における再帰反射シートの具体的な用途としては、交通標識、工事標識、商業標識、車両ナンバープレート、再帰反射式ステッカー、再帰反射式ＲＦＩＤタグなどに用いることのできる再帰反射シートおよび再帰反射シートであって、優れた偽造防止性及び情報呈示性を持った再帰反射シートとして用いることが出来る。【０１２０】
本発明品は、視認方向性を持った画像が設置された偽造防止性に優れた再帰反射シートであり、偽造防止性を持った画像が設置された再帰反射シートを貼付した標識またはラベル類に用いることができる。【０１２１】
さらに、本発明による再帰反射シートを貼付することにより、標識またはラベル類を偽造困難性を持った認証マークとすることができる。
【符号の説明】
【０１２２】
１０・・・保護紙
２０・・・接着剤層
３０・・・鏡面反射層
３１・・・反射領域
３５ａ、３５ｂ・・・欠落
４０・・・焦点形成層
５０・・・マイクロレンズ層
５１・・・マイクロレンズ
６０・・・保持層
７０・・・表面保護層
１００・・・再帰反射シート
Ｐ、Ｐ１、Ｐ２・・・点画像
Ｖｐ・・・垂線
Ｖｏ・・・中心軸
Ｖｏ１、Ｖｏ２、Ｖｏ３・・・中心軸
Ｌ・・・光
Ｌ１、Ｌ２、Ｌ３・・・集合画像
【図１】
2012099044.tif 000003
【図２】
2012099044.tif 000004
【図３】
2012099044.tif 000005
【図４】
2012099044.tif 000006
【図５】
2012099044.tif 000007
【図６】
2012099044.tif 000008
【図７】
2012099044.tif 000009
【図８】
2012099044.tif 000010
【図９】
2012099044.tif 000011
【図１０】
2012099044.tif 000012
【図１１】
2012099044.tif 000013
【図１２】
2012099044.tif 000014
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
定められた方向において視認可能な視認方向性を持った点画像が多数集合して形成される集合画像が、少なくとも２種類以上隣接して設置された微小ガラス球型再帰反射シートにおいて、
該集合画像を構成するそれぞれの点画像は、該微小ガラス球型再帰反射シートが有する鏡面反射層にドット状の欠落によって形成されており、
該欠落は、該微小ガラス球のそれぞれと対向する鏡面反射層において、該微小ガラス球の中心を基準として、一方側に形成され、
該点画像の視認可能領域は、それぞれの点画像を頂点とした円錐状の広がりを持ち、
該集合画像におけるそれぞれの点画像の該視認可能領域の中心軸の傾き（β）は、５〜６０度であり、
互いに隣接する集合画像におけるそれぞれの点画像の該視認可能領域の中心軸の傾きの差（Δβ）が５〜２５度であり、
互いに隣接する集合画像におけるそれぞれの視認可能領域の一部同士は接するもしくは重なる
ことを特徴とする視認方向性を持った集合画像が設置された微小ガラス球型再帰反射シート。
【請求項２】
隣接する集合画像におけるそれぞれの点画像の該視認可能領域の中心軸の傾きの差（Δβ）が８〜２２度である
ことを特徴とする請求項１に記載の視認方向性を持った集合画像が設置された微小ガラス球型再帰反射シート。
【請求項３】
該視認可能領域の中心軸の傾き（β）の大きさが１０〜６０度である
ことを特徴とする請求項１または請求項２に記載の視認方向性を持った集合画像が設置された微小ガラス球型再帰反射シート。
【請求項４】
少なくとも１つの該集合画像におけるそれぞれの点画像の方位角と、この集合画像に隣接する集合画像におけるそれぞれの点画像の方位角との差（Δε）が、０〜１０度である
ことを特徴とする請求項１〜３のいずれか１項に記載の視認方向性を持った集合画像が設置された微小ガラス球型再帰反射シート。
【請求項５】
少なくとも１つの該集合画像におけるそれぞれの点画像の方位角と、この集合画像に隣接する集合画像におけるそれぞれの点画像の方位角の差（Δε）が、０〜７度である
ことを特徴とする請求項４に記載の視認方向性を持った集合画像が設置された微小ガラス球型再帰反射シート。
【請求項６】
該集合画像を構成するそれぞれの該点画像における該円錐状の視認可能領域の広がり（α）は、５〜２０度である
ことを特徴とする請求項１〜５のいずれか１項に記載の視認方向性を持った集合画像が設置された微小ガラス球型再帰反射シート。
【請求項７】
互いに隣接する該集合画像を構成するそれぞれの点画像の視認可能領域の一部同士は接するもしくは重なる
ことを特徴とする請求項１〜６のいずれか１項に記載の視認方向性を持った集合画像が設置された微小ガラス球型再帰反射シート。
【請求項８】
該微小ガラス球型再帰反射シートが、オープンレンズ型微小ガラス球型再帰反射シート、封入レンズ型微小ガラス球型再帰反射シート、カプセルレンズ型微小ガラス球型再帰反射シートのいずれかである
ことを特徴とする請求項１〜７のいずれか１項に記載の視認方向性を持った集合画像が設置された微小ガラス球型再帰反射シート。
【国際調査報告】
2012099044.tif 000015
2012099044.tif 000016